(57)【要約】      （修正有）【課題】従来の技術における不足に対して、高周波特性に優れ、しかもオス・メスで結合した後でも抜き外しが容易であり、引っ掛かってしまうなどの不具合が発生しにくいネットワーク接続モジュラープラグを提供する。【解決手段】プラグ本体１と、プラグ本体１内に嵌設されている一体型樹脂部と、その基部５によりプラグ本体１の上端に嵌設されており、上部６が中間部にて上方に膨出して弾性を有する円弧状の板状部材であり、上部６の前端７がプラグ本体１上端頭部の係止位置８内に遊嵌されている弾性体と、を備えたことを特徴とするネットワーク接続モジュラープラグ。【選択図】図１
0003135442.tif 000002
【実用新案登録請求の範囲】
【請求項１】
プラグ本体（１）と、プラグ本体（１）内に嵌設されている一体型樹脂部（２）と、その基部（５）によりプラグ本体（１）の上端に嵌設されており、上部（６）が中間部にて上方に膨出して弾性を有する円弧状の板状部材であり、上部（６）の前端（７）がプラグ本体（１）上端頭部の係止位置（８）内に遊嵌されている弾性体と、を備えた、ことを特徴とするネットワーク接続モジュラープラグ。
【請求項２】
前記一体型樹脂部（２）の長さを３ｍｍまで短縮した、ことを特徴とする請求項１に記載のネットワーク接続モジュラープラグ。
【請求項３】
前記弾性体（３）の構造上の固定点がプラグ本体（１）の後部であり、弾性体（３）の前端（７）が可動式となっている、ことを特徴とする請求項１に記載のネットワーク接続モジュラープラグ。
【考案の詳細な説明】
【技術分野】
【０００１】
本考案は高速ネットワークの接続プラグ技術に関し、特にネットワーク接続モジュラープラグに関する。
【背景技術】
【０００２】
現在、ネットワークの速度はますます高速化しており、その速度への要求は１０Ｇ前後に達している。その帯域幅への要求は広帯域幅となっており、一般的にＣ６Ａの要求は６００ＭＨｚ以上に達し、Ｃ７の要求は更に高く、一般的な通常のネットワークの速度では業界のニーズを満たすことは難しくなっているうえ、その構造が簡単で、使用者が操作しやすいことなどが要求されている。現在、多くのメーカが製造しているネットワーク接続モジュラープラグでは業界のニーズを達成することは難しいことに加え、オス・メスで結合した後には抜き外ししにくくなり、引っ掛かってしまうなどの不具合が発生して、使用者にとって不便を来してしまううえ、特に特性および速度の問題は更に大きな悩みである。この種の問題を解決するために、本考案者は上記特性および構造の問題を完全に克服できる新たな製品を研究・開発した。
【考案の開示】
【０００３】
本考案の目的は、従来の技術における不足に対して、高周波特性に優れ、しかもオス・メスで結合した後でも抜き外しが容易であり、引っ掛かってしまうなどの不具合が発生しにくいネットワーク接続モジュラープラグを提供することにある。
上記目的を実現するために、本考案では次の技術的思想でこれを実現している。プラグ本体と、プラグ本体内に嵌設されている一体型樹脂部と、その基部によりプラグ本体の上端に嵌設されており、上部が中間部にて上方に膨出して弾性を有する円弧状の板状部材であり、上部の前端がプラグ本体上端頭部の係止位置内に遊嵌されている弾性体と、を備えている。
前記一体型樹脂部の長さを３ｍｍまで短縮している。
前記弾性体の構造上の固定点がプラグ本体の後部であり、弾性体の前端が可動式となっている。
本考案の弾性体はプラグ本体と弾性体底部との対応する係止位置で互いに係合するようにプラグ本体の上端に係合され、弾性体の上部が上方に膨出して弾性を有する円弧状の板状部材であり、弾性体の上部の前端がプラグ本体上端頭部の係止位置内に遊嵌されている。本考案は以下のような長所を備えている。
１、アーチ状の弓形構造の弾性体と本体とは別体となっており、弾性体はプラグ上から取り外すことができる。一般的なネットワーク接続モジュラープラグのプラグ本体（ｐｌｕｇ）は弾性体と一体になっていることから、プラグ本体（ｐｌｕｇ）における主な不良問題は、プラグをソケットに挿入したとき弾性体が抜き外しし難く、ハブ上のソケットが損傷してしまいやすくなり、コンピュータ全体またはハブを交換しなければならなくなり、不必要なコストの増加を招いてしまうということにある。一方、本考案における弓形構造のネットワーク接続モジュラープラグではこの種の不具合を完全に解決することができる。
【０００４】
２、弾性体の上部が上方に膨出して弾性を有する円弧状の板状部材とされ、この上部が弓形状をなしている。この特殊な設計により、弾性体はその他物体に引っ掛かりにくくなり、弾性体が損傷または破損してしまうことにより、プラグ本体（ｐｌｕｇ）とハブ上のソケットとの結合に力がかからず支持されて、オス・メス端子の接触不良を招き、ひいてはネットワークインターフェイスの通信速度がネットワーク速度の要求を達成することができなくなるという不具合が発生しにくくなる。
３、ネットワーク接続モジュラープラグは簡単に抜き外しができ、アーチ状の弓形構造の弾性体における力が作用する位置は既存のＲＪ４５とは異なっている。弾性体上部の前端のラッチがプラグ本体上端頭部の係止位置内に遊嵌されており、その構造上の固定点がプラグ本体の後部に設定されている。既存の弾性体が前部のネットワーク接続モジュラープラグに固定されているのと異なり、その弾性体はモジュラプラグ前方であり、その後部が開くか摺動するが、一方、本考案のアーチ状弓形構造の弾性体の前端とソケット結合箇所とが可動空間となっており、抜き差し時には後部支点が力点と作用点の間の空間を形成しやすくなり、既存の一般的な支点がラッチ上にあるものに比べて抜き差しし易く、同時に、弾性体の上部後端の他に、その他方向から弾性体の上部に力を付与することもでき、弾性体の上部に力を作用させて、弾性体上のラッチとソケットとの反作用力を利用するだけで、押圧して簡単に押し出されて来るが、一般的なＲＪ４５プラグではプラグを抜き外すまで弾性体を押圧したままにしておかなければならず、使用者にとっては極めて不便である。
４、特性に優れ、ネットワーク接続性と高周波特性との結合の問題は挿入部本体に対して適切な変更を施しており、一体型樹脂部の長さを短縮し、加工における損失を極力減らし、同時に、この種の設計でネットワーク接続モジュラープラグの高周波ノイズの耐性を高め、その高周波特性を向上させることができ、現在その特性はＥＩＡ／ＴＩＡのＣ６Ａ／Ｃ７規格を満たすことができる。
【考案を実施するための最良の形態】
【０００５】
実施例は図１、２、３、４を参照されたい。本実施例では、プラグ本体１と、一体型樹脂部２と、弾性体３とを備え、前記一体型樹脂部２はプラグ本体１内に嵌設されるとともに、一体型樹脂部２の長さを３ｍｍまで短縮している。この種の設計でネットワーク接続モジュラープラグの高周波ノイズの耐性を高め、その高周波特性を向上させることができ、現在その特性はＥＩＡ／ＴＩＡのＣ６Ａ／Ｃ７規格を満たすことができる。
前記プラグ本体１の上端には係止位置４が設けられ、そして弾性体３の基部５が両者上の係止位置で互いに係合するようにプラグ本体１の上端に係合されており、弾性体３とプラグ本体とは別体となっており、弾性体３はプラグ本体１上から取り外すことができる。
前記弾性体３の上部６は中間部にて上方に膨出し弾性を有する円弧状の板状部材であり、弾性体３の上部６は弓形状に近似している。この種の設計により、弾性体３はその他物体に引っ掛かりにくくなるので、弾性体３は損傷しにくくなる。
前記弾性体３の構造上の固定点がプラグ本体１の後部となり、弾性体３の前端７は可動式となっている。
前記弾性体３の上部６の前端７がプラグ本体１の上端頭部の係止位置８内に遊嵌されており、弾性体３の力が作用する位置が従来のＲＪ４５とは異なり、その固定点がプラグ本体１（ｐｌｕｇ）の後部に設定されており、弾性体３の前端７（ラッチ）とソケットとの結合部箇所が可動空間となっており、挿抜時には後部支点が力点と作用点の間の空間を形成しやすくなり、既存の一般的な支点がラッチ上にあるものに比べて挿抜しやすく、同時に、弾性体３の上部６後端の他に、その他方向から弾性体３の上部に力を付与することもでき、弾性体３の上部に力を作用させて、弾性体３上のラッチとソケットとの反作用力を利用するだけで、押圧して簡単に押し出させることができる。
上記は単に本考案の好ましい実施例に過ぎないので、本考案の登録請求の範囲に記載する構造、特徴および原理により行った等価の変更または付加は、いずれも本考案の登録請求の範囲に含まれるものである。
【図面の簡単な説明】
【０００６】
【図１】本考案の構造概略図である。
【図２】図１の正面図である。
【図３】図１の平面図である。
【図４】本考案の分解概略図である。
【図１】
0003135442.tif 000003
【図２】
0003135442.tif 000004
【図３】
0003135442.tif 000005
【図４】
0003135442.tif 000006